(57)【特許請求の範囲】
【請求項１】
昇降路内の頂部に設置されたエレベータ駆動用の巻上機におけるトラクションシーブの外周を覆う保護カバーを有するマシンルームレスエレベータの巻上機カバー装置であって、
前記巻上機はモータと、そのモータに駆動されて回転するトラクションシーブを備え、前記保護カバーが脱着可能な複数の分割片に分割され、その各分割片で前記巻上機のトラクションシーブの外周のみが覆われ、前記トラクションシーブの保守点検時にその保護カバーを各分割片に分解することで前記トラクションシーブの外周のみを開放することが可能で、かつ複数に分割された前記分割片に取っ手が設けられていることを特徴とするマシンルームレスエレベータの巻上機カバー装置。
【発明の詳細な説明】
【技術分野】
【０００１】
この発明は、マシンルームレスエレベータにおける巻上機を覆って保護する巻上機カバー装置に関する。
【背景技術】
【０００２】
近年、エレベータを駆動する巻上機を乗りかごが昇降する昇降路内の頂部に設置して、巻上機設置用の機械室を省くようにしたマシンルームレスエレベータが開発され、各種の建物に施工されるようになってきている（特許文献１参照）。
【０００３】
この種のエレベータの構造を図１６に示してある。符号１はコンクリート壁で囲まれた建屋の昇降路で、この昇降路１内の頂部にマシンビーム２を介して巻上機３が設置されている。昇降路１内にはかごガイドレール４に沿って上下に昇降移動する乗りかご５、および重りガイドレール６に沿って上下に昇降移動するつり合い重り７がメインロープ８を介して吊り下げられている。
【０００４】
乗りかご５の上部にはシーブ枠１０を介してかごシーブ１１が回転自在に取り付けられ、またつり合い重り７の上部には重りシーブ１２が回転自在に取り付けられている。巻上機３はモータに駆動されて回転するトラクションシーブ１６を備え、このトラクションシーブ１６に前記メインロープ８が巻き掛けられている。
【０００５】
トラクションシーブ１６に巻き掛けられたメインロープ８の一方側は、前記かごシーブ１１に通されているとともに、その先端側端部が固定部としてのヒッチ１７に接続され、他方側は前記重りシーブ１２に通されているとともに、その先端側端部が固定部としてのヒッチ１８に接続され、このメインロープ８により乗りかご５とつり合い重り７がほぼ重量的に平衡するように昇降路１内に吊り下げられている。
【０００６】
そして、巻上機３のトラクションシーブ１６が回転することで、乗りかご５およびつり合い重り７がそれぞれかごガイドレール４および重りガイドレール６に沿って上下に昇降移動する。なお、建物の各階のエレベータ乗場には、乗降口１９が形成され、この乗降口１９を通して乗りかご５に対する乗り降りが行なわれる。２０は乗降口１９に設けられたドア装置、２１は乗りかご５の出入口に設けられたドア装置である。
【０００７】
昇降路１内の頂部に設けられた巻上機３には、図１７および図１８に示すように、トラクションシーブ１６を覆って保護するカバー装置２５が設けられている。なお、図１７は巻上機３のトラクションシーブ側から見た正面図、図１８は巻上機３の昇降路中央側から見た側面図で、トラクションシーブ１６は図１８に示すモータ１５に駆動されて回転する。
【０００８】
トラクションシーブ１６を保護するカバー装置２５は、トラクションシーブ１６の外周を覆う多角形に屈曲してほぼ逆Ｕ字状をなす保護カバー２７を備え、さらにトラクションシーブ１６の正面上部を覆う正面カバー２８と、トラクションシーブ１６の裏面上部を覆う裏面カバー２９と、マシンビーム２の上に取り付けられ、前記正面カバー２８を支持するＬ形状の正面側支持ベース３０と、マシンビーム２の上に取り付けられ、前記裏面カバー２９を支持するＬ形状の裏面側支持ベース３１が設けられ、前記保護カバー２７は正面側支持ベース３０と裏面側支持ベース３１とで支持されている。
【０００９】
正面カバー２８はボルトなどの締結手段で正面側支持ベース３０に脱着可能に締結され、裏面カバー２９はボルトなどの締結手段で裏面側支持ベース３１に脱着可能に締結され、保護カバー２７は正面側支持ベース３０、裏面側支持ベース３１、正面カバー２８、裏面カバー２９のそれぞれボルトなどの締結手段で脱着可能に締結されている。
【００１０】
トラクションシーブ１６に対する保守点検時には、作業員が乗降口１９から昇降路１内に入り込んで乗りかご５の天井部に乗り込み、この天井部の上でカバー装置２５の保護カバー２７を取り外してトラクションシーブ１６の外周を開放し、この状態でトラクションシーブ１６の周面のシーブ溝の摩耗状況などについての保守点検を行なう。そして点検完了後に、保護カバー２７、正面カバー２８、裏面カバー２９を再度取り付けてトラクションシーブ１６を覆い、保護する。
【特許文献１】特開２００７−２１０７０３公報
【発明の開示】
【発明が解決しようとする課題】
【００１１】
ところで、マシンルームレスエレベータの巻上機３は昇降路１内の頂部に設置されている。すなわち昇降路１の天井面および側壁面に近接して配置されている。そして従来のカバー装置２５の保護カバー２７は、ほぼ逆Ｕ字状をなす一体形状の部材であり、このため保護カバー２７を脱着して巻上機３の外周を開放したり覆う作業の際にその天井面や側壁面が障害となって作業がしずらく、能率性が低下する。昇降路１を拡張して巻上機３と昇降路１の天井面や側壁面との間に十分な距離を確保するようにすれば、保護カバー２７の脱着の作業を容易に行なえるが、マシンレスエレベータにあっては昇降路１を必要最小限の広さに抑え、その内部の狭いスペースを有効に利用して巻上機３を設置することで、建屋全体に占める昇降路１の容積比を低く抑えることを目的としており、昇降路１を拡張すればその初期の目的が達成できなくなる。
【００１２】
この発明は、このような点に着目してなされたもので、昇降路を拡張することなく、保護カバーを脱着したり移動する作業を容易に行なって巻上機に対する保守点検の作業を能率よく実施することができるマシンルームレスエレベータの巻上機カバー装置を提供することを目的とする。
【課題を解決するための手段】
【００１３】
この発明は、昇降路内の頂部に設置されたエレベータ駆動用の巻上機におけるトラクションシーブの外周を覆う保護カバーを有するマシンルームレスエレベータの巻上機カバー装置であって、前記巻上機はモータと、そのモータに駆動されて回転するトラクションシーブを備え、前記保護カバーが脱着可能な複数の分割片に分割され、その各分割片で前記巻上機のトラクションシーブの外周のみが覆われ、前記トラクションシーブの保守点検時にその保護カバーを各分割片に分解することで前記トラクションシーブの外周のみを開放することが可能で、かつ複数に分割された前記分割片に取っ手が設けられていることを特徴としている。
【発明の効果】
【００２３】
この発明によれば、昇降路を拡張することなく、保護カバーを脱着したり移動する作業を容易に行なって巻上機に対する保守点検の作業を能率よく実施することができる。
【発明を実施するための最良の形態】
【００２４】
以下、この発明の実施の形態について図１ないし図１５を参照して説明する。なお、従来の構成と対応する部分には図中に同一符号を付して重複する説明を省略する。
【００２５】
図１には第１の実施形態を示してある。巻上機３は昇降路１の天井面および側壁面に近接して設置されている。そしてこの実施形態では、巻上機３のトラクションシーブ１６の外周を覆う保護カバー２７が、一対の側面カバー２７ａ，２７ｂと一つの上面カバー２７ｃとの複数の分割片で構成されている。一方の側面カバー２７ａはトラクションシーブ１６の一方側の外周を覆うように配置され、他方の側面カバー２７ｂはトラクションシーブ１６の他方側の外周を覆うように配置されている。
【００２６】
上面カバー２７ｃは、側面カバー２７ａ，２７ｂの上部においてその側面カバー２７ａ，２７ｂの双方に跨るように配置され、この上面カバー２７ｃにより両側面カバー２７ａ，２７ｂの上部間の隙間３４が塞がれている。上面カバー２７ｃは、ボルトなどの締結手段で一方および他方の側面カバー２７ａ，２７ｂにそれぞれ脱着可能に締結され、この締結で両側面カバー２７ａ，２７ｂおよび上面カバー２７ｃが一体的に結合され、その全体でほぼ逆Ｕ字状をなす保護カバー２７が構成されている。なお、側面カバー２７ａ，２７ｂはそれぞれボルトなどの締結手段で正面側支持ベース３０および裏面側支持ベース３１に脱着可能に締結されている。
【００２７】
トラクションシーブ１６に対する保守点検時には、まず正面カバー２８および裏面カバー２９を正面側支持ベース３０および裏面側支持ベース３１から外し、次に保護カバー２７の上面カバー２７ｃを側面カバー２７ａ，２７ｂから外す。そして側面カバー２７ａ，２７ｂを正面側支持ベース３０および裏面側支持ベース３１から外す。これによりトラクションシーブ１６の大部分が外部に露出してトラクションシーブ１６の外周が開放され、したがってこの状態でトラクションシーブ１６に対する保守点検の作業を実施する。
【００２８】
ほぼ逆Ｕ字状の保護カバー２７は上面カバー２７ｃの取り外しにより個々の短寸部材の側面カバー２７ａ，２７ｂ、上面カバー２７ｃに分割され、したがってその取り外しを昇降路１の天井面や側壁面に妨げられることなく容易に行なうことができる。
【００２９】
また、保守点検の作業終了後には、正面カバー２８および裏面カバー２９を正面側支持ベース３０および裏面側支持ベース３１に取り付け、次に側面カバー２７ａ，２７ｂを正面側支持ベース３０および裏面側支持ベース３１に取り付け、さらに側面カバー２７ａ，２７ｂの上部に上面カバー２７ｃを取り付ける。これによりカバー装置２５が組立てられ、トラクションシーブ１６の全体が覆われる。
【００３０】
この組立ての際にも、保護カバー２７が各側面カバー２７ａ，２７ｂと上面カバー２７ｃとに分割されているから、これら側面カバー２７ａ，２７ｂおよび上面カバー２７ｃを個々に扱って昇降路１の天井面や側壁面に妨げられることなく容易に正面側支持ベース３０および裏面側支持ベース３１に取り付けて組立てることができる。
【００３１】
図２には第２の実施形態を示してある。この実施形態は、全体の構成は前記第１の実施形態の場合と同様であるが、保護カバー２７の側面カバー２７ａおよび上面カバー２７ｃにそれぞれ取っ手３５，３６が取り付けられている点に特徴がある。
【００３２】
したがって、この第２の実施形態においては、保護カバー２７の側面カバー２７ａや上面カバー２７ｃを脱着する際に、作業員が前記取っ手３５，３６を掴んで側面カバー２７ａや上面カバー２７ｃを保持することにより、その脱着の作業をより容易にかつ安全に行なうことができる。
【００３３】
図３には第３の実施形態を示してある。この実施形態は、全体の構成は前記第１の実施形態の場合と同様であるが、保護カバー２７の各側面カバー２７ａ，２７ｂの上部上面にＬ形状のガイド部材３７ａ，３７ｂが互いに対向し、かつ側面カバー２７ａ，２７ｂの幅方向つまり巻上機３の軸方向に沿って延びるように取り付けられ、これらガイド部材３７ａ，３７ｂの内側の空間内に上面カバー２７ｃがスライド可能に挿入されている。
【００３４】
この実施形態の場合には、上面カバー２７ｃをスライドすることにより側面カバー２７ａ，２７ｂに対して上面カバー２７ｃを脱着でき、したがってその脱着作業をドライバーなどの工具類を用いることなく容易に能率よく行なうことができる。また、上面カバー２７ｃを側面カバー２７ａ，２７ｂに固定するための締結手段が不要であるから構造が簡単となる。
【００３５】
図４には第４の実施形態を示してある。この実施形態においては、側面カバー２７ａ，２７ｂの上部上面にそれぞれマグネット３９ａ，３９ｂが取り付けられ、また上面カバー２７ｃが磁性材料で形成され、この上面カバー２７ｃが前記マグネット３９ａ，３９ｂの磁力で側面カバー２７ａ，２７ｂの上面に脱着可能に固定されている。
【００３６】
この実施形態の場合には、上面カバー２７ｃをマグネット３９ａ，３９ｂの磁力に抗して引き剥がすことにより側面カバー２７ａ，２７ｂから取り外し、またマグネット３９ａ，３９ｂの磁力で側面カバー２７ａ，２７ｂの上面に取り付けることが可能で、したがってその脱着作業をドライバーなどの工具類を用いることなく容易に能率よく行なうことができる。また、上面カバー２７ｃを側面カバー２７ａ，２７ｂに固定するための締結手段が不要であるから構造が簡単となる。
【００３７】
図５および図６には第５の実施形態を示してある。この実施形態においては、保護カバー２７が多角形に屈曲するほぼ逆Ｕ字状の一体部材で構成されている。また、マシンビーム２の両側部にはその長手方向に沿って延びるガイドレール４０がそれぞれ取り付けられ、これらガイドレール４０を介して前記保護カバー２７が巻上機３の軸方向にスライド可能に支持されている。すなわち、保護カバー２７の両側の下端部がガイドレール４０の上面にスライド可能に嵌合され、この保護カバー２７でトラクションシーブ１６の外周の周面が覆われている。
【００３８】
この実施形態では保護カバー２７がガイドレール４０で支持されており、このため第１の実施形態における正面側支持ベース３０および裏面側支持ベース３１が不要で、それが省略され、さらに正面カバー２８および裏面カバー２９も省略されている。トラクションシーブ１６は少なくともシーブ溝が形成されている外周の周面を覆えばよく、したがってこの実施形態ではほぼ逆Ｕ字状の保護カバー２７のみでトラクションシーブ１６の外周の周面を覆うようにしてある。
【００３９】
トラクションシーブ１６に対する保守点検時には、図６に鎖線で示すように保護カバー２７をトラクションシーブ１６を覆う位置からガイドレール４０に沿って巻上機３の軸方向にスライドさせる。これによりトラクションシーブ１６の周面が開放されて露出し、したがってその周面のシーブ溝の摩耗状況などについての点検作業を実施することができる。
【００４０】
保護カバー２７はガイドレール４０に沿って巻上機３の軸方向にスライドさせるだけで、昇降路１の天井面や側壁面に妨げられることなく容易にトラクションシーブ１６の周面を覆う位置から離脱させることができる。
【００４１】
保守点検の作業が終了した後には、保護カバー２７をガイドレール４０に沿って逆方向にスライドさせてトラクションシーブ１６の周面を覆う位置に戻す。この際にも、保護カバー２７は昇降路１の天井面や側壁面に妨げられることなく容易にスライドさせることができる。なお、この実施形態においては、保護カバー２７をトラクションシーブ１６の周面を覆う位置に戻した際に、その保護カバー２７をガイドレール４０にロックするロック機構を設けるようにすることが好ましい。
【００４２】
図７および図８には第６の実施形態を示してある。この実施形態においては、保護カバー２７が多角形に屈曲するほぼ逆Ｕ字状に構成されているとともに、少なくとも昇降路１の中央部に向く側の下部から上部に渡る部分が複数の分割片２７ｄに分割され、かつその複数の分割片２７ｄが互いにヒンジ４２を介して回動自在に連結されて一連に繋がる折り畳み可能な屈伸部４４となっている。
【００４３】
この実施形態では、トラクションシーブ１６の保守点検時に、保護カバー２７の屈伸部４４の各分割片２７ｄを図８に示すように、下部から上部に向ってヒンジ４２を支点に順次つづら折り状に屈曲するように折り畳んでトラクションシーブ１６の昇降路１の中央側の周面を露出させ、この状態でトラクションシーブ１６に対する保守点検の作業を実施する。そして、保守点検の作業が終了した後には、折り畳み状態の屈伸部４４をヒンジ４２を支点に順次引き伸ばして展開させ、トラクションシーブ１６の周面を覆う。
【００４４】
この実施形態においては、保護カバー２７の複数の分割片２７ｄをつづら折り状に折り畳んだり展開することにより、昇降路１の天井面や側壁面に妨げられることなく容易にトラクションシーブ１６の周面を露出させたり覆うことができ、能率よくトラクションシーブ１６に対する保守点検の作業を実施することができる。
【００４５】
図９には第７の実施形態を示してある。この実施形態においては、保護カバー２７が一対の固定部材２７ｅ，２７ｆと一つの可動部材２７ｇとで構成されている。一対の固定部材２７ｅ，２７ｆはそれぞれ断面がほぼ半円の円弧状をなし、互いに隙間４５をあけて重なるようにマシンビーム２に取り付けられ、これら固定部材２７ｅ，２７ｆでトラクションシーブ１６の周面のほぼ半分、つまり昇降路１の側壁面側に向くほぼ半周部分の周面が覆われている。
【００４６】
可動部材２７ｇは、断面がほぼ半円の円弧状をなし、固定部材２７ｅ，２７ｆ間の隙間４５内にスライドして差し込んだり引き出すことができるようになっており、通常時にはその大部分が隙間４５から引き出され、この可動部材２７ｇでトラクションシーブ１６の昇降路中央側の周面が覆われている。
【００４７】
トラクションシーブ１６の保守点検時には、保護カバー２７の可動部材２７ｇを固定部材２７ｅ，２７ｆに沿って移動させ、その固定部材２７ｅ，２７ｆ間の隙間４５内に差し込んで収納する。これにより昇降路１の中央側に向くトラクションシーブ１６の周面を開放して露出させることができ、したがってこの状態でトラクションシーブ１６に対する保守点検の作業を実施する。そして、保守点検の作業が終了した後には、可動部材２７ｇを隙間４５から引き出し、昇降路１の中央側に向くトラクションシーブ１６の周面をその可動部材２７ｇで再び覆う。
【００４８】
このようにこの実施形態においては、保護カバー２７の可動部材２７ｇを固定部材２７ｅ，２７ｆ間の隙間４５に対して挿脱することにより、昇降路１の天井面や側壁面に妨げられることなく容易にトラクションシーブ１６の周面を露出させたり覆うことができ、能率よくトラクションシーブ１６に対する保守点検の作業を実施することができる。
【００４９】
図１０および図１１には第８の実施形態を示してある。図１０はカバー装置２５の側面図で、図１１は平面図である。この実施形態においては、トラクションシーブ１６を含む巻上機３の全長域の外周が保護カバー４６で覆われた構造となっている。保護カバー４６は巻上機３の一端側半部を覆う第１のカバー部材４７と他端側半部を覆う第２のカバー部材４８とで構成されている。そして第１のカバー部材４７は、巻上機３の一端側半部の側面を覆う側板４７ａと、巻上機３の一端側半部の端面を覆う端板４７ｂと、巻上機３の一端側半部の上面を覆う上面板４７ｃとの複数の分割片で構成され、第２のカバー部材４８は、巻上機３の他端側半部の側面を覆う側板４８ａと、巻上機３の他端側半部の端面を覆う端板４８ｂと、巻上機３の他端側半部の上面を覆う上面板４８ｃとの複数の分割片で構成されている。
【００５０】
端板４７ｂ，４８ｂはマシンビーム２にボルトなどの締結手段を介して脱着可能に取り付けられ、側板４７ａ，４８ａおよび上面板４７ｃ，４８ｃはボルトなどの締結手段を介して端板４７ｂ，４８ｂに脱着可能に取り付けられている。
【００５１】
保守点検時には、側板４７ａ，４８ａ、端板４７ｂ，４８ｂ、上面板４７ｃ，４８ｃをそれぞれ取り外して保護カバー４６の各カバー部材４７，４８を分解し、この状態でトラクションシーブ１６を含む巻上機３の全体に対する保守点検の作業を実施する。
【００５２】
保守点検の作業が終了した後には、側板４７ａ，４８ａ、端板４７ｂ，４８ｂ、上面板４７ｃ，４８ｃをそれぞれ締結手段を介して組み付けて保護カバー４６を組立て、その側板４７ａ，４８ａ、端板４７ｂ，４８ｂ、上面板４７ｃ，４８ｃによりトラクションシーブ１６を含む巻上機３の全長域の外周を覆う。これによりトラクション１６のみならず巻上機３の全体を保護することができる。
【００５３】
保護カバー４６は、側板４７ａ，４８ａ、端板４７ｂ，４８ｂ、上面板４７ｃ，４８ｃの各分割片に分割されていて、これら分割片を個々に分解することで巻上機３の外周を開放する構造であるから、昇降路１の天井面や側壁面に妨げられることなくその各分割片を容易に分解してトラクションシーブ１６を含む巻上機３の全体に対する保守点検の作業を能率よく実施することができる。
【００５４】
図１２および図１３には第９の実施形態を示してある。この実施形態においては、前記第９の実施形態の場合と同様に、トラクションシーブ１６を含む巻上機３の全長域の外周が保護カバー４６で覆われている。そして保護カバー４６が巻上機３の一端側半部を覆う第１のカバー部材４７と他端側半部を覆う第２のカバー部材４８とで構成されている。
【００５５】
また、マシンビーム２の両側部にはその長手方向に沿って延びるガイドレール５３がそれぞれ取り付けられ、これらガイドレール５３を介して第１および第２のカバー部材４７，４８が巻上機３の軸方向にスライド可能に支持されている。
【００５６】
保守点検時には、保護カバー４６の第１および第２のカバー部材４７，４８をガイドレール５３に沿って互いに離間する反対方向にスライドして巻上機３の全長域の外周を開放し、この状態でトラクションシーブ１６を含む巻上機３の全体に対する保守点検の作業を実施する。
【００５７】
保守点検の作業が終了した後には、第１および第２のカバー部材４７，４８をガイドレール５３に沿って互いに接近する方向にスライドして突き当て、巻上機３の全長域の外周を覆う。これによりトラクションシーブ１６のみならず巻上機３の全体を保護することができる。
【００５８】
このようにこの実施形態では、保護カバー４６の第１および第２のカバー部材４７，４８をガイドレール５３に沿ってスライドするだけで、昇降路１の天井面や側壁面に妨げられることなく容易に巻上機３の全長域の外周を開放したり覆うことができ、したがって巻上機３に対する保守点検の作業を能率よく行なうことができる。
【００５９】
図１４および図１５には第１０の実施形態を示してある。この実施形態においてはトラクションシーブ１６を含む巻上機３の全長域を覆う保護カバー４６が、巻上機３の一端側の端面および他端側の端面を覆う端板５６ａ，５６ｂと、巻上機３の一端側の側面半部および他端側の側面半部を覆う側板５８ａ，５８ｂとで構成されている。
【００６０】
端板５６ａ，５６ｂはマシンビーム２に取り付けられている。そしてこれら端板５６ａ，５６ｂの昇降路１の中央側に向く側縁に前記側板５８ａ，５８ｂがそれぞれヒンジ５７を介して回動可能に取り付けられている。
【００６１】
保守点検時には、各側板５８ａ，５８ｂをそれぞれヒンジ５７を支点にして昇降路１の中央側に回動操作して開き、トラクションシーブ１６を含む巻上機３の側面の全体を露出させ、この状態でトラクションシーブ１６を含む巻上機３の全体に対する保守点検の作業を実施する。
【００６２】
保守点検の作業が終了した後には、側板５８ａ，５８ｂを反対側に回動して閉じ合わせ、巻上機３の全長域の側面を覆う。これによりトラクションシーブ１６のみならず巻上機３の全体を保護することができる。
【００６３】
このようにこの実施形態では、第２の側板５８ａ，５８ｂを回動して開閉するだけで、昇降路１の天井面や側壁面に妨げられることなく容易に巻上機３を露出させたり覆うことができ、したがって巻上機３に対する保守点検の作業を能率よく行なうことができる。
以下に、本願出願当初の特許請求の範囲に記載された発明を付記する。
［１］  昇降路内の頂部に設置されたエレベータ駆動用の巻上機におけるトラクションシーブの外周を覆う保護カバーを有するマシンルームレスエレベータの巻上機カバー装置であって、
前記保護カバーが脱着可能な複数の分割片に分割され、トラクションシーブの保守点検時にその保護カバーを各分割片に分解することでトラクションシーブの外周を開放することが可能なことを特徴とするマシンルームレスエレベータの巻上機カバー装置。
［２］  昇降路内の頂部に設置されたエレベータ駆動用の巻上機におけるトラクションシーブの外周を覆う保護カバーを有するマシンルームレスエレベータの巻上機カバー装置であって、
前記保護カバーが巻上機の軸方向にスライド可能に設けられ、トラクションシーブの保守点検時にその保護カバーをスライドさせることでトラクションシーブの外周を開放することが可能なことを特徴とするマシンルームレスエレベータの巻上機カバー装置。
［３］  昇降路内の頂部に設置されたエレベータ駆動用の巻上機におけるトラクションシーブの外周を覆う保護カバーを有するマシンルームレスエレベータの巻上機カバー装置であって、
前記保護カバーが複数の分割片に分割されているとともに、その分割片が折り畳み可能に連結され、トラクションシーブの保守点検時にその保護カバーを折り畳むことでトラクションの外周を開放することが可能なことを特徴とするマシンルームレスエレベータの巻上機カバー装置。
［４］  昇降路内の頂部に設置されたエレベータ駆動用の巻上機におけるトラクションシーブの外周を覆う保護カバーを有するマシンルームレスエレベータの巻上機カバー装置であって、
前記保護カバーが、固定部材と、この固定部材に重なることが可能な可動部材とを備え、可動部材が固定部材に重なる状態から移動して固定部材から突出することでその固定部材と可動部材とでトラクションシーブの外周が覆われ、トラクションシーブの保守点検時にその可動部材を固定部材と重なる方向に移動することでトラクションの外周を開放することが可能なことを特徴とするマシンルームレスエレベータの巻上機カバー装置。
［５］  昇降路内の頂部に設置されたエレベータ駆動用の巻上機におけるトラクションシーブを含む巻上機の全長域の外周を覆う保護カバーを有するマシンルームレスエレベータの巻上機カバー装置であって、
前記保護カバーが脱着可能な複数の分割片に分割され、トラクションシーブの保守点検時にその保護カバーを各分割片に分解することでトラクションシーブを含む巻上機の全長域の外周を開放することが可能なことを特徴とするマシンルームレスエレベータの巻上機カバー装置。
［６］  昇降路内の頂部に設置されたエレベータ駆動用の巻上機におけるトラクションシーブを含む巻上機の全長域の外周を覆う保護カバーを有するマシンルームレスエレベータの巻上機カバー装置であって、
前記保護カバーが巻上機の軸方向にスライド可能に設けられ、トラクションシーブの保守点検時にその保護カバーをスライドさせることでトラクションシーブを含む巻上機の全長域の外周を開放することが可能なことを特徴とするマシンルームレスエレベータの巻上機カバー装置。
［７］  昇降路内の頂部に設置されたエレベータ駆動用の巻上機におけるトラクションシーブを含む巻上機の全長域を覆う保護カバーを有するマシンルームレスエレベータの巻上機カバー装置であって、
前記保護カバーが巻上機の一端側の端面および他端側の端面を覆う端板と、これら端板にヒンジを介して回動可能に取り付けられ、巻上機の一端側の側面半部および他端側の側面半部を覆う側板とを備え、前記各側板を回動することで巻上機の全長域の側面を開放することが可能なことを特徴とするマシンルームレスエレベータの巻上機カバー装置。
［８］  ［１］記載のマシンルームレスエレベータの巻上機カバー装置において、
複数に分割された分割片に取っ手が設けられていることを特徴とするマシンルームレスエレベータの巻上機カバー装置。
［９］  ［１］記載のマシンルームレスエレベータの巻上機カバー装置において、
複数に分割された分割片がガイド部材を介して互いにスライド可能に結合され、そのスライドの動作で各分割片を互いに脱着することが可能であることを特徴とするマシンルームレスエレベータの巻上機カバー装置。
［１０］  ［１］記載のマシンルームレスエレベータの巻上機カバー装置において、
複数に分割された分割片がマグネットを介して互いに脱着可能に結合されていることを特徴とするマシンルームレスエレベータの巻上機カバー装置。
【図面の簡単な説明】
【００６４】
【図１】この発明の第１の実施形態に係る巻上機カバー装置を示す正面図。
【図２】この発明の第２の実施形態に係る巻上機カバー装置を示す正面図。
【図３】この発明の第３の実施形態に係る巻上機カバー装置を示す正面図。
【図４】この発明の第４の実施形態に係る巻上機カバー装置を示す正面図。
【図５】この発明の第５の実施形態に係る巻上機カバー装置を示す正面図。
【図６】この発明の第６の実施形態に係る巻上機カバー装置を示す側面図。
【図７】この発明の第７の実施形態に係る巻上機カバー装置を示す正面図。
【図８】その巻上機カバー装置の保護カバーを折り畳んだ状態を示す正面図。
【図９】この発明の第８の実施形態に係る巻上機カバー装置を示す正面図。
【図１０】この発明の第９の実施形態に係る巻上機カバー装置を示す側面図。
【図１１】この発明の第９の実施形態に係る巻上機カバー装置を示す平面図。
【図１２】この発明の第１０の実施形態に係る巻上機カバー装置を示す側面図。
【図１３】この発明の第１０の実施形態に係る巻上機カバー装置を示す平面図。
【図１４】この発明の第１１の実施形態に係る巻上機カバー装置を示す平面図。
【図１５】その巻上機カバー装置の保護カバーを開いた状態を示す平面図。
【図１６】マシンレスエレベータの一般的な構成を示す説明図。
【図１７】従来の巻上機カバー装置を示す正面図。
【図１８】従来の巻上機カバー装置を示す側面図。
【符号の説明】
【００６５】
１…昇降路
２…マシンビーム
３…巻上機
１５…モータ
１６…トラクションシーブ
２５…カバー装置
２７…保護カバー
２８…正面カバー
２９…裏面カバー
３０…正面側支持ベース
３１…裏面側支持ベース
３５…取っ手
３７ａ…ガイド部材
３９ａ…マグネット
４０…ガイドレール
４２…ヒンジ
４６…保護カバー
４７．４８…カバー部材
５３…ガイドレール
５６ａ．５６ｂ…端板
５７…ヒンジ
５８ａ．５８ｂ…側板
【図１】
0005182692.tif 000002
【図２】
0005182692.tif 000003
【図３】
0005182692.tif 000004
【図４】
0005182692.tif 000005
【図５】
0005182692.tif 000006
【図６】
0005182692.tif 000007
【図７】
0005182692.tif 000008
【図８】
0005182692.tif 000009
【図９】
0005182692.tif 000010
【図１０】
0005182692.tif 000011
【図１１】
0005182692.tif 000012
【図１２】
0005182692.tif 000013
【図１３】
0005182692.tif 000014
【図１４】
0005182692.tif 000015
【図１５】
0005182692.tif 000016
【図１６】
0005182692.tif 000017
【図１７】
0005182692.tif 000018
【図１８】
0005182692.tif 000019